(57)【特許請求の範囲】
【請求項１】
下階建物ユニットの上に上階建物ユニットを据付けて構築されるものであり、
建物ユニットは床パネルの上に壁パネルを設置してなり、
壁パネルは、床パネルの外郭の上面に載置される壁枠組と、壁枠組の外側に添設されて床パネルの外郭の側面にまで延在される下地面材と、下地面材の外側に添設される外装材とを有して構成されるユニット建物の構築方法において、
上階建物ユニットの製造工程で、
壁パネルの外装材を下地面材の下端部を除く範囲についてだけ添設し、下地面材の外面に被着した上防水シートを外装材の下端部を越える位置まで延在しておき、
壁パネルの壁枠組を床パネルの外郭の上面に載置し、壁パネルの下地面材の下端部を上防水シートの裏側で、床パネルの外郭の側面に取着固定して上階建物ユニットを製造し、
下階建物ユニットの製造工程で、
壁パネルの外装材を下地面材の上端部にまで添設し、下地面材の外面に被着した下防水シートを下地面材の上端部を越える位置まで延在して上階建物ユニットを製造し、
ユニット建物の建築現場で、
下階建物ユニットの上に上階建物ユニットを搭載し、
下階建物ユニットにおける壁パネルの下地面材の上端部を越えて延在している下防水シートと、上階建物ユニットにおける壁パネルの外装材の下端部を越える位置まで延在している上防水シートを、上階建物ユニットにおける床パネルの外郭に対応する範囲内で壁パネルの外装材が添設されていない下地面材の外面にて重ね、
上階建物ユニットの壁パネルの上記下地面材の外装材が添設されていなかった範囲に外装材を添設することを特徴とするユニット建物の構築方法。
【請求項２】
前記建物ユニットの壁パネルにおいて、下地面材と外装材の間に胴縁が介装され、それらの下地面材と外装材の間に通気層が形成される請求項１に記載のユニット建物の構築方法。
【発明の詳細な説明】
【技術分野】
【０００１】
本発明はユニット建物の構築方法に関する。
【背景技術】
【０００２】
下階建物ユニットの上に上階建物ユニットを据付けて構築されるユニット建物において、特許文献１に記載の如く、外壁の全面を互いに重ね合わされた防水シートによって覆い、防水性の向上を図ったものがある。
【０００３】
特許文献１に記載のユニット建物では、下階建物ユニットと上階建物ユニットの壁パネルにおける外装材の裏側に防水シートを延在し、下階建物ユニットにおける壁パネルの上端部を外装材除去部としておく。そして、下階建物ユニットの上に上階建物ユニットを搭載し、上階建物ユニットにおける壁パネルの下端部よりも下方にまで延在されている上防水シートを、下階建物ユニットにおける壁パネルの外装材除去部に延在されている下防水シートの上に重ねた後、下階建物ユニットの壁パネルの外装材除去部に外装材を添設することとしている。
【特許文献１】特開平9-228493
【発明の開示】
【発明が解決しようとする課題】
【０００４】
特許文献１に記載のユニット建物では、壁パネルの外装材除去部で上下の防水シートを重ね貼りするものを開示しているが、壁パネルと床パネルの接合構造についての考慮はない。
【０００５】
本発明の課題は、ユニット建物を構成する建物ユニットの壁パネルと床パネルを簡易に接合するとともに、ユニット建物の防水性を確保することにある。
【課題を解決するための手段】
【０００６】
請求項１の発明は、下階建物ユニットの上に上階建物ユニットを据付けて構築されるものであり、建物ユニットは床パネルの上に壁パネルを設置してなり、壁パネルは、床パネルの外郭の上面に載置される壁枠組と、壁枠組の外側に添設されて床パネルの外郭の側面にまで延在される下地面材と、下地面材の外側に添設される外装材とを有して構成されるユニット建物の構築方法において、上階建物ユニットの製造工程で、壁パネルの外装材を下地面材の下端部を除く範囲についてだけ添設し、下地面材の外面に被着した上防水シートを外装材の下端部を越える位置まで延在しておき、壁パネルの壁枠組を床パネルの外郭の上面に載置し、壁パネルの下地面材の下端部を上防水シートの裏側で、床パネルの外郭の側面に取着固定して上階建物ユニットを製造し、下階建物ユニットの製造工程で、壁パネルの外装材を下地面材の上端部にまで添設し、下地面材の外面に被着した下防水シートを下地面材の上端部を越える位置まで延在して上階建物ユニットを製造し、ユニット建物の建築現場で、下階建物ユニットの上に上階建物ユニットを搭載し、下階建物ユニットにおける壁パネルの下地面材の上端部を越えて延在している下防水シートと、上階建物ユニットにおける壁パネルの外装材の下端部を越える位置まで延在している上防水シートを、上階建物ユニットにおける床パネルの外郭に対応する範囲内で壁パネルの外装材が添設されていない下地面材の外面にて重ね、上階建物ユニットの壁パネルの上記下地面材の外装材が添設されていなかった範囲に外装材を添設するようにしたものである。
【０００７】
請求項２の発明は、請求項１の発明において更に、前記建物ユニットの壁パネルにおいて、下地面材と外装材の間に胴縁が介装され、それらの下地面材と外装材の間に通気層が形成されるようにしたものである。
【発明の効果】
【０００８】
（請求項１）
(a)上階建物ユニットの製造工程で、下地面材の下端部を除く範囲についてだけ壁パネルの外装材を添設しておき、壁パネルの下端部を外装材除去部とする。そして、壁パネルの外装材除去部を壁パネルと床パネルの接合に利用する。即ち、壁パネルの下地面材の下端部を上防水シートの裏側で、床パネルの外郭の側面に取着固定し、上階建物ユニットを製造する。上階建物ユニットの壁パネルと床パネルを簡易に接合できる。
【０００９】
(b)ユニット建物の建築現場で、上階建物ユニットにおける壁パネルの外装材除去部を上下の防水シートの重ね貼りに利用する。即ち、上階建物ユニットにおける壁パネルの外装材の下端部を越える位置まで延在している上防水シートを、下階建物ユニットにおける壁パネルの下地面材の上端部を越えて延在している下防水シートの上に重ね貼りし、この上階建物ユニットの外装材除去部に外装材を追加的に添設する。上階建物ユニットと下階建物ユニットの上下の防水シートの重ね貼りにより、ユニット建物の防水性を確保できる。
【００１０】
(c)ユニット建物の建築現場で、上階建物ユニットの下端部の外装材除去部に追加的な外装材を添設するようにしたから、ユニット建物における上階建物ユニットの側にその下端部を覆う化粧カバーを設置できる。
【００１１】
（請求項２）
(d)建物ユニットの壁パネルにおいて、下地面材と外装材の間に胴縁を介装し、それらの下地面材と外装材の間に通気層を形成できる。
【発明を実施するための最良の形態】
【００１２】
図１は上階建物ユニットの製造過程を示し、（Ａ）は断面図、（Ｂ）は（Ａ）の拡大図、図２は下階建物ユニットの製造過程を示し、（Ａ）は断面図、（Ｂ）は（Ａ）の拡大図、図３は上階建物ユニットの上防水シートと下階建物ユニットの下防水シートの重ね過程を示す断面図、図４は上下の防水シートへの被覆テープの接着過程を示す断面図、図５は上階建物ユニットの壁パネルへの追加的外装材の添設過程を示す断面図、図６はユニット建物の上下階接合部を示す断面図である。
【実施例】
【００１３】
ユニット建物１は、図１に示す上階建物ユニット１０Ａを図２に示す下階建物ユニット１０Ｂの上に据付けて構築される。
【００１４】
上階建物ユニット１０Ａ（下階建物ユニット１０Ｂも同じ）は、床パネル２０の上に壁パネル３０を設置して構成される。
【００１５】
床パネル２０は、側根太２１Ａ、端根太２１Ｂからなる床枠組２１の下部外縁に頭つなぎ２２を設け、床枠組２１の上部全面に床面材２３を設けて構成される。
【００１６】
壁パネル３０は、上枠３１Ａ、下枠３１Ｂ、縦枠３１Ｃからなり、床パネル２０の外郭の上面に載置される壁枠組３１と、壁枠組３１の外側に添設されて床パネル２０の外郭の側面（床枠組２１及び頭つなぎ２２）にまで延在される下地面材３２と、下地面材３２の外側に添設される外装材３３とを有して構成される。尚、下地面材３２と外装材３３の間には胴縁３４が一定間隔で介装され、それらの下地面材３２と外装材３３の間の上下に連通する通気層３５が形成される。また、壁パネル３０は、壁枠組３１の内側に添設される内壁面材３６を有し、下地面材３２と内壁面材３６の間に断熱材３７を充填している。
【００１７】
ここで、上階建物ユニット１０Ａ（下階建物ユニット１０Ｂも同じ）は、壁パネル３０の下地面材３２の外面（通気層３５に臨む外面）の全面に上防水シート３８Ａ（下階建物ユニット１０Ｂについては、下防水シート３８Ｂ）を被着している。
【００１８】
以下、上階建物ユニット１０Ａ、下階建物ユニット１０Ｂの工場生産による製造工程、ユニット建物１の建築現場における上階建物ユニット１０Ａと下階建物ユニット１０Ｂの据付工程について説明する。
【００１９】
(A)上階建物ユニット１０Ａの製造工程（図１）
(1)壁パネル３０の外装材３３を下地面材３２の下端部３２Ａを除く範囲について添設し、下地面材３２の下端部３２Ａの外側を外装材除去部Ａとしておく（図１（Ａ））。下地面材３２の外面に被着した上防水シート３８Ａを外装材３３の下端部を越える位置、本実施例では下地面材３２の下端部３２Ａを覆う位置まで延在しておく。
【００２０】
(2)壁パネル３０の壁枠組３１を床パネル２０の床枠組２１の外郭の上面に載置し、壁パネル３０の下地面材３２の下端部３２Ａを上防水シート３８Ａをまくり上げた裏側で、床パネル２０の床枠組２１の外郭の側面（側根太２１Ａ、頭つなぎ２２）に釘３９を用いる等により取着固定する（図１（Ｂ））。
【００２１】
(B)下階建物ユニット１０Ｂの製造工程
(1)壁パネル３０の外装材３３を下地面材３２の上端部にまで添設し、下地面材３２の外面に被着した下防水シート３８Ｂを下地面材３２の上端部を越える位置まで延在しておく（図２（Ａ）、（Ｂ））。
【００２２】
このとき、壁パネル３０の外装材３３は下地面材３２の下端部３２Ａを除く範囲について添設され、下地面材３２の下端部３２Ａの外側を外装材除去部Ａとしておき、下地面材３２の外面に被着した下防水シート３８Ｂを下地面材３２の下端部３２Ａを覆う位置まで延在しておく。
【００２３】
(2)壁パネル３０の壁枠組３１を床パネル２０の床枠組２１の外郭の上面に載置し、壁パネル３０の下地面材３２の下端部３２Ａを下防水シート３８Ｂをまくり上げた裏側で、床パネル２０の床枠組２１の外郭の側面（側根太２１Ａ、頭つなぎ２２）に釘３９を用いる等により取着固定する。下階建物ユニット１０Ｂにあっては、この工場生産段階で、壁パネル３０の上記釘打ち後の外装材除去部Ａに外装材を添設する。
【００２４】
(C)ユニット建物１の建築現場
(1)下階建物ユニット１０Ｂの上に上階建物ユニット１０Ａを搭載する（図３）。
【００２５】
(2)下階建物ユニット１０Ｂにおける壁パネル３０の下地面材３２の上端部を越えて延在している下防水シート３８Ｂを、上階建物ユニット１０Ａにおける壁パネル３０の外装材除去部Ａで外装材３３が添設されていない下地面材３２の下端部３２Ａの外面に被覆する（このとき、上階建物ユニット１０Ａの上防水シート３８Ａはまくり上げられる）。続いて、上階建物ユニット１０Ａにおける壁パネル３０の下地面材３２の下端部３２Ａを覆う位置まで延在している上防水シート３８Ａを上記下防水シート３８Ｂの上に重ねる（図３）。
【００２６】
(3)上防水シート３８Ａの下端側表面から下防水シート３８Ｂの表面に渡って粘着性被覆テープ４０を接着する（図４）。
【００２７】
(4)上階建物ユニット１０Ａの壁パネル３０の下地面材３２の外装材３３が添設されていなかった範囲（外装材除去部Ａ）に、追加的な外装材３３Ａを添設する（図５、図６）。このとき、外装材３３Ａは、胴縁３４Ａを介して、下地面材３２の下端部３２Ａ及び床パネル２０の側根太２１Ａ、頭つなぎ２２に釘打ち固定される。そして、外装材３３Ａの上下の目地にシール材４１、４２が装填される（図６）。
【００２８】
本実施例によれば以下の作用効果を奏する。
(a)上階建物ユニット１０Ａの製造工程で、下地面材３２の下端部３２Ａを除く範囲についてだけ壁パネルの外装材３３を添設しておき、壁パネルの下端部を外装材除去部Ａとする。そして、壁パネルの外装材除去部Ａを壁パネルと床パネル２０の接合に利用する。即ち、壁パネルの下地面材３２の下端部３２Ａを上防水シート３８Ａの裏側で、床パネル２０の外郭の側面に取着固定し、上階建物ユニット１０Ａを製造する。上階建物ユニット１０Ａの壁パネルと床パネル２０を簡易に接合できる。
【００２９】
(b)ユニット建物１の建築現場で、上階建物ユニット１０Ａにおける壁パネルの外装材除去部Ａを上下の防水シート３８Ａ、３８Ｂの重ね貼りに利用する。即ち、上階建物ユニット１０Ａにおける壁パネルの下地面材３２の下端部３２Ａを覆う位置まで延在している上防水シート３８Ａを、下階建物ユニット１０Ｂにおける壁パネルの下地面材３２の上端部を越えて延在している下防水シート３８Ｂの上に重ね貼りし、この上階建物ユニット１０Ａの外装材除去部Ａに外装材３３Ａを追加的に添設する。上階建物ユニット１０Ａと下階建物ユニット１０Ｂの上下の防水シート３８Ａ、３８Ｂの重ね貼りにより、ユニット建物１の防水性を確保できる。
【００３０】
(c)ユニット建物１の建築現場で、上階建物ユニット１０Ａの下端部の外装材除去部Ａに追加的な外装材３３Ａを添設するようにしたから、ユニット建物１における上階建物ユニット１０Ａの側にその下端部を覆う化粧カバーを設置できる。
【００３１】
(d)建物ユニットの壁パネルにおいて、下地面材３２と外装材３３の間に胴縁３４を介装し、それらの下地面材３２と外装材３３の間に通気層３５を形成できる。
【００３２】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００３３】
【図１】図１は上階建物ユニットの製造過程を示し、（Ａ）は断面図、（Ｂ）は（Ａ）の拡大図である。
【図２】図２は下階建物ユニットの製造過程を示し、（Ａ）は断面図、（Ｂ）は（Ａ）の拡大図である。
【図３】図３は上階建物ユニットの上防水シートと下階建物ユニットの下防水シートの重ね過程を示す断面図である。
【図４】図４は上下の防水シートへの被覆テープの接着過程を示す断面図である。
【図５】図５は上階建物ユニットの壁パネルへの追加的外装材の添設過程を示す断面図である。
【図６】図６はユニット建物の上下階接合部を示す断面図である。
【符号の説明】
【００３４】
１  ユニット建物
１０Ａ  上階建物ユニット
１０Ｂ  下階建物ユニット
２０  床パネル
３０  壁パネル
３１  壁枠組
３２  下地面材
３２Ａ  下地面材の下端部
３３、３３Ａ  外装材
３４  胴縁
３５  通気層
３８Ａ  上防水シート
３８Ｂ  下防水シート
４０  被覆テープ
【図１】
0005139865.tif 000002
【図２】
0005139865.tif 000003
【図３】
0005139865.tif 000004
【図４】
0005139865.tif 000005
【図５】
0005139865.tif 000006
【図６】
0005139865.tif 000007